【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
移動体（Ａ）のウィンドシールド（ＷＳ）に二つの表示像を投影し、互いに異なる位置に結像される二つの前記表示像の虚像を、前記移動体の乗員（Ｄ）によって視認可能に表示するヘッドアップディスプレイ装置であって、
二つの前記表示像のうちで前記ウィンドシールドに近い位置に近虚像（２９）として結像される近表示像（２８）、を発光表示する第一表示面（２１）と、
二つの前記表示像のうちで前記近虚像よりも前記ウィンドシールドから遠い位置に遠虚像（３９）として結像される遠表示像（３８）、を発光表示する第二表示面（３１）と、
前記近表示像及び前記遠表示像からそれぞれ拡大された前記近虚像及び前記遠虚像が結像されるよう、前記第一表示面及び前記第二表示面から射出される光を広げつつ前記ウィンドシールド側へ向けて反射させる拡大光学素子（４０）と、
前記遠表示像の光の光路に設けられ、前記ウィンドシールドでの反射によって前記遠虚像に発生が想定される光学的な影響を、前記拡大光学素子と共に補正する補正光学素子（６０，２６０）と、を備え、
前記拡大光学素子にて前記近表示像の光が入射する第一入射領域（４２）の少なくとも一部は、前記遠表示像の光が入射する第二入射領域（４３）の少なくとも一部と重なっているヘッドアップディスプレイ装置。
【請求項２】
前記補正光学素子は、前記遠表示像の光の光路のうちで前記第二表示面から前記拡大光学素子までの間に配置されている請求項１に記載のヘッドアップディスプレイ装置。
【請求項３】
前記補正光学素子は、前記第二表示面から射出される前記遠表示像の光を前記拡大光学素子側へ向けて反射させる反射面（６１）、を有する請求項１又は２に記載のヘッドアップディスプレイ装置。
【請求項４】
前記補正光学素子は、前記移動体に搭載された状態にて、前記第一表示面を挟んで前記ウィンドシールドの反対側に位置している請求項３に記載のヘッドアップディスプレイ装置。
【請求項５】
前記第二表示面は、前記補正光学素子を挟んで前記第一表示面の反対側に位置されている請求項３に記載のヘッドアップディスプレイ装置。
【請求項６】
前記補正光学素子は、前記第二表示面から射出される前記遠表示像の光を屈折させつつ前記拡大光学素子側へ向けて射出する屈折面（２６２，２６３）、を有する請求項１又は２に記載のヘッドアップディスプレイ装置。
【請求項７】
移動体（Ａ）のウィンドシールド（ＷＳ）に二つの表示像を投影し、互いに異なる位置に結像される二つの前記表示像の虚像を、前記移動体の乗員（Ｄ）によって視認可能に表示するヘッドアップディスプレイ装置であって、
二つの前記表示像のうちで前記ウィンドシールドに近い位置に近虚像（２９）として結像される近表示像（２８）、を発光表示する第一表示面（２１）と、
二つの前記表示像のうちで前記近虚像よりも前記ウィンドシールドから遠い位置に遠虚像（３９）として結像される遠表示像（３８）、を発光表示する第二表示面（３１）と、
前記近表示像及び前記遠表示像からそれぞれ拡大された前記近虚像及び前記遠虚像が結像されるよう、前記第一表示面及び前記第二表示面から射出される光を広げつつ前記ウィンドシールド側へ向けて反射させる拡大光学素子（４０）と、
前記遠表示像の光の光路に設けられ、前記ウィンドシールドでの反射によって前記遠虚像に発生が想定される光学的な影響を、前記拡大光学素子と共に補正する補正光学素子（６０，２６０）と、を備え、
前記補正光学素子は、
前記第二表示面から射出される前記遠表示像の光を前記拡大光学素子側へ向けて反射させる反射面（６１）、を有し、
前記移動体に搭載された状態にて、前記第一表示面を挟んで前記ウィンドシールドの反対側に位置しているヘッドアップディスプレイ装置。
【請求項８】
移動体（Ａ）のウィンドシールド（ＷＳ）に二つの表示像を投影し、互いに異なる位置に結像される二つの前記表示像の虚像を、前記移動体の乗員（Ｄ）によって視認可能に表示するヘッドアップディスプレイ装置であって、
二つの前記表示像のうちで前記ウィンドシールドに近い位置に近虚像（２９）として結像される近表示像（２８）、を発光表示する第一表示面（２１）と、
二つの前記表示像のうちで前記近虚像よりも前記ウィンドシールドから遠い位置に遠虚像（３９）として結像される遠表示像（３８）、を発光表示する第二表示面（３１）と、
前記近表示像及び前記遠表示像からそれぞれ拡大された前記近虚像及び前記遠虚像が結像されるよう、前記第一表示面及び前記第二表示面から射出される光を広げつつ前記ウィンドシールド側へ向けて反射させる拡大光学素子（４０）と、
前記遠表示像の光の光路に設けられ、前記ウィンドシールドでの反射によって前記遠虚像に発生が想定される光学的な影響を、前記拡大光学素子と共に補正する補正光学素子（６０，２６０）と、を備え、
前記補正光学素子は、前記第二表示面から射出される前記遠表示像の光を前記拡大光学素子側へ向けて反射させる反射面（６１）、を有し、
前記第二表示面は、前記補正光学素子を挟んで前記第一表示面の反対側に位置されているヘッドアップディスプレイ装置。
【請求項９】
前記補正光学素子は、前記遠表示像の光の光路のうちで前記第二表示面から前記拡大光学素子までの間に配置されている請求項７又は８に記載のヘッドアップディスプレイ装置。
【請求項１０】
前記近表示像の光の光路に設けられ、前記ウィンドシールドでの反射により前記近虚像に発生が想定される光学的な影響を、前記拡大光学素子と共に補正する近補正光学素子（１６０）、をさらに備える請求項１〜９のいずれか一項に記載のヘッドアップディスプレイ装置。
【手続補正２】
【補正対象書類名】明細書
【補正対象項目名】０００８
【補正方法】変更
【補正の内容】
【０００８】
上記目的を達成するため、開示された一つの態様は、移動体（Ａ）のウィンドシールド（ＷＳ）に二つの表示像を投影し、互いに異なる位置に結像される二つの表示像の虚像を、移動体の乗員（Ｄ）によって視認可能に表示するＨＵＤ装置であって、二つの表示像のうちでウィンドシールドに近い位置に近虚像（２９）として結像される近表示像（２８）、を発光表示する第一表示面（２１）と、二つの表示像のうちで近虚像よりもウィンドシールドから遠い位置に遠虚像（３９）として結像される遠表示像（３８）、を発光表示する第二表示面（３１）と、近表示像及び遠表示像からそれぞれ拡大された近虚像及び遠虚像が結像されるよう、第一表示面及び第二表示面から射出される光を広げつつウィンドシールド側へ向けて反射させる拡大光学素子（４０）と、遠表示像の光の光路に設けられ、ウィンドシールドでの反射によって遠虚像に発生が想定される光学的な影響を、拡大光学素子と共に補正する補正光学素子（６０，２６０）と、を備え、拡大光学素子にて近表示像の光が入射する第一入射領域（４２）の少なくとも一部は、遠表示像の光が入射する第二入射領域（４３）の少なくとも一部と重なっているＨＵＤ装置とされる。
また開示された一つの態様は、移動体（Ａ）のウィンドシールド（ＷＳ）に二つの表示像を投影し、互いに異なる位置に結像される二つの表示像の虚像を、移動体の乗員（Ｄ）によって視認可能に表示するＨＵＤ装置であって、二つの表示像のうちでウィンドシールドに近い位置に近虚像（２９）として結像される近表示像（２８）、を発光表示する第一表示面（２１）と、二つの表示像のうちで近虚像よりもウィンドシールドから遠い位置に遠虚像（３９）として結像される遠表示像（３８）、を発光表示する第二表示面（３１）と、近表示像及び遠表示像からそれぞれ拡大された近虚像及び遠虚像が結像されるよう、第一表示面及び第二表示面から射出される光を広げつつウィンドシールド側へ向けて反射させる拡大光学素子（４０）と、遠表示像の光の光路に設けられ、ウィンドシールドでの反射によって遠虚像に発生が想定される光学的な影響を、拡大光学素子と共に補正する補正光学素子（６０，２６０）と、を備え、補正光学素子は、第二表示面から射出される遠表示像の光を拡大光学素子側へ向けて反射させる反射面（６１）、を有し、移動体に搭載された状態にて、第一表示面を挟んでウィンドシールドの反対側に位置しているＨＵＤ装置とされる。
また開示された一つの態様は、移動体（Ａ）のウィンドシールド（ＷＳ）に二つの表示像を投影し、互いに異なる位置に結像される二つの表示像の虚像を、移動体の乗員（Ｄ）によって視認可能に表示するＨＵＤ装置であって、二つの表示像のうちでウィンドシールドに近い位置に近虚像（２９）として結像される近表示像（２８）、を発光表示する第一表示面（２１）と、二つの表示像のうちで近虚像よりもウィンドシールドから遠い位置に遠虚像（３９）として結像される遠表示像（３８）、を発光表示する第二表示面（３１）と、近表示像及び遠表示像からそれぞれ拡大された近虚像及び遠虚像が結像されるよう、第一表示面及び第二表示面から射出される光を広げつつウィンドシールド側へ向けて反射させる拡大光学素子（４０）と、遠表示像の光の光路に設けられ、ウィンドシールドでの反射によって遠虚像に発生が想定される光学的な影響を、拡大光学素子と共に補正する補正光学素子（６０，２６０）と、を備え、補正光学素子は、第二表示面から射出される遠表示像の光を拡大光学素子側へ向けて反射させる反射面（６１）、を有し、第二表示面は、補正光学素子を挟んで第一表示面の反対側に位置されているＨＵＤ装置とされる。
【手続補正３】
【補正対象書類名】明細書
【補正対象項目名】０００９
【補正方法】変更
【補正の内容】
【０００９】
これらの態様によれば、ウィンドシールドでの反射によって遠虚像に発生が想定される光学的な影響は、拡大光学素子だけでなく、補正光学素子によっても、補正され得る。故に、拡大光学素子が近表示像及び遠表示像の各光を共にウィンドシールド側へ向けて反射させる構成であっても、遠表示像の光は、近表示像の光とは異なる光学的な補正をなされたうえで、近虚像よりも遠い位置に遠虚像として結像される。